(57)【要約】【課題】この発明は、利用者に安心及び安全を感じさせることができる、現金自動預払機、現金自動預払機及び端末装置に設置されるカバーを提供する。【解決手段】現金自動預払機１００は、利用者が現金の預け払いを操作可能な操作部１を有する本体部２と、本体部２を側方から挟む一対の側板４を含み、一対の側板４の対向面６が、互いに操作部１を含む空間１Ａを包むような曲面を有しているカバー３と、を備える。【選択図】図１
2019106016.tif 000002
【特許請求の範囲】
【請求項１】
利用者が現金の預け払いを操作可能な操作部を有する本体部と、
前記本体部を側方から挟む一対の側板を含み、前記一対の側板の対向面が、互いに前記操作部を含む空間を包むような曲面であるカバーと、を備える現金自動預払機。
【請求項２】
前記カバーは、前記操作部を含む空間の上方を覆う上板をさらに有し、
前記上板の中央部は左右端部よりも奥行方向に短い請求項１に記載の現金自動預払機。
【請求項３】
前記各対向面が、前方に向かって湾曲している請求項１又は請求項２に記載の現金自動預払機。
【請求項４】
前記一対の側板の対向面が、互いに前方で離間している請求項１から３のいずれか一項に記載の現金自動預払機。
【請求項５】
前記側板が、半透明である請求項１から４のいずれか一項に記載の現金自動預払機。
【請求項６】
利用者が現金の預け払いを操作可能な操作部を有する本体部を備える現金自動預払機のカバーであって、
前記本体部を側方から挟む一対の側板を含み、前記一対の側板の対向面が、互いに前記操作部を含む空間を包むような曲面であるカバー。
【請求項７】
前記操作部を含む空間の上方を覆う上板をさらに有し、
前記上板の中央部は左右端部よりも奥行方向に短い請求項６に記載のカバー。
【請求項８】
利用者が操作可能な操作部を有する本体部と、
前記本体部を側方から挟む一対の側板を含み、前記一対の側板の対向面が、互いに前記操作部を含む空間を包むような曲面であるカバーと、を備える端末装置。
【発明の詳細な説明】
【技術分野】
【０００１】
本発明は、コンビニエンスストア、駅などで使用される現金自動預払機、現金自動預払機に設置されるカバー及び端末装置に関する。
【背景技術】
【０００２】
この種の現金自動預払機として、特許文献１に示される現金自動取引機が知られている。
この現金自動取引機は、装置本体の上部正面に設けられている通帳口、カード／明細口、呼出しボタンなどを有するフロントパネルと、該フロントパネルの下方でかつ装置本体の中間部にて前方に張り出すように設けられた操作テーブルと、を具備する。
フロントパネルに接する操作テーブルの奥側には、紙幣を投入する紙幣口、硬貨を投入する硬貨口等が設けられている。
また、利用者側に位置する操作テーブルの前側には、タッチパネル式の操作表示部やハンドセット等の追加機器設置スペース、顧客センサー、係員等が操作する鍵穴等が設けられている。
【０００３】
また、上記現金自動取引機の正面にはカバーが設置されている。このカバーは、操作部を側方から覆う側板と、上方から覆う上板とを有し、これら側板及び上板が、操作部を周囲から囲うことで、画面操作等が外部から見られることを防止している。
【先行技術文献】
【特許文献】
【０００４】
【特許文献１】特開２００３−３３１３３８号公報
【発明の概要】
【発明が解決しようとする課題】
【０００５】
ところで、特許文献１に示される現金自動取引機のカバーでは、側方の空間が垂直な平板で覆われているだけなので、利用者の後方からの視線を遮る構造を有していない。
このため、コンビニエンスストア、駅などで使用する場合には、周囲の視線も加わって、利用者に不安を与える。
【０００６】
この発明の目的は、上述した課題を鑑みて、利用者に安心及び安全を感じさせることができる、現金自動預払機、現金自動預払機に設置されるカバー及び端末装置を提供することにある。
【課題を解決するための手段】
【０００７】
第１の態様の現金自動預払機は、利用者が現金の預け払いを操作可能な操作部を有する本体部と、前記本体部を側方から挟む一対の側板を含み、前記一対の側板の対向面が、互いに前記操作部を含む空間を包むような曲面であるカバーと、を備える。
【０００８】
第２の態様の現金自動預払機は、前記カバーは、前記操作部を含む空間の上方を覆う上板をさらに有し、前記上板の中央部は左右端部よりも奥行方向に短い第１の態様の現金自動預払機である。
【０００９】
第３の態様の現金自動預払機は、各対向面が、前方に向かって湾曲している第１又は第２の態様の現金自動預払機である。
【００１０】
第４の態様の現金自動預払機は、前記一対の側板の対向面が、互いに前方で離間している第１から第３のいずれか態様の現金自動預払機である。
【００１１】
第５の態様の現金自動預払機は、前記側板が、半透明である第１から第４のいずれかの態様の現金自動預払機である。
【００１２】
第６の態様の現金自動預払機のカバーは、利用者が現金の預け払いを操作可能な操作部を有する本体部を備える現金自動預払機のカバーであって、前記本体部を側方から挟む一対の側板を含み、前記一対の側板の対向面が、互いに前記操作部を含む空間を包むような曲面である。
【００１３】
第７の態様の現金自動預払機のカバーは、前記操作部を含む空間の上方を覆う上板をさらに有し、前記上板の中央部は左右端部よりも奥行方向に短い第６の態様のカバーである。
【００１４】
第８の態様の端末装置は、利用者が操作可能な操作部を有する本体部と、前記本体部を側方から挟む一対の側板を含み、前記一対の側板の対向面が、互いに前記操作部を含む空間を包むような曲面であるカバーと、を備える。
【発明の効果】
【００１５】
本発明によれば、利用者に対して安心及び安全を感じさせることができる現金自動預払機、現金自動預払機のカバー及び端末装置を提供できる。
【図面の簡単な説明】
【００１６】
【図１】本発明の実施形態に係る現金自動預払機の最小構成を示す斜視図である。
【図２】本発明の実施形態に係る現金自動預払機を示す詳細斜視図である。
【図３】図２の側面図である。
【図４】図２の平面図である。
【図５】本発明の実施形態に係る現金自動預払機の別の最小構成を示す斜視図である。
【図６】本発明の実施形態に係るカバーの最小構成を示す斜視図である。
【図７】本発明の実施形態に係るカバーの別の最小構成を示す斜視図である。
【発明を実施するための形態】
【００１７】
＜第一実施形態＞
第一実施形態について図１を参照して説明する。第一実施形態は、現金自動預払機の最小構成の実施形態である。
図１に示すように、本実施形態の現金自動預払機１００は、現金の預け払いを操作可能な操作部１を有する本体部２と、操作部１を含む空間１Ａを周囲から挟むカバー３と、を備える。
【００１８】
以下において、現金自動預払機１００の正面が向く方向、すなわち、操作部１を操作する利用者に対し本体部２が向く方向を前方とする。このような前方に対し、本体部２の横方向を側方、本体部２の上方向を上方、本体部２の下方向を下方という。また、前方の逆方向を後方という。さらに、本体部２の前後方向は、奥行き方向ともいい、本体部の横方向は、左右ともいう。
【００１９】
カバー３は、操作部１を含む空間１Ａを側方から挟む一対の側板４を有する。
側板４は、空間１Ａを覆っている。側板４は、空間１Ａ外部からの視線を妨げるように本体部２から前方に延びている。
一対の側板４は、互いに対向する対向面６をそれぞれ有する。
一対の側板４の対向面６は、互いに操作部１を含む空間１Ａを包むような曲面である。各対向面６の中央部が、互いに空間１Ａの側方外側に離れるように湾曲している。
【００２０】
以上のように構成された現金自動預払機１００では、空間１Ａを側方から挟む一対の側板４を有するカバー３を備えており、これら一対の側板４の対向面６が、空間１Ａを包み込む曲面である。
曲面が湾曲している分、平面である場合に比べて空間１Ａが広くなり、カバー３は、空間１Ａ内での現金自動預払機１００の利用者の操作性を損なわない。他方で、曲面が空間１Ａを包み込んでいる分、平面である場合に比べて、カバー３は、空間１Ａ外から空間１Ａ内への視線を遮ることができる。
このため、カバー３は、現金自動預払機１００の利用者の操作性を損なわない構造でありながら、空間１Ａ外部からの視線を妨げやすい構造を有する。
したがって、利用者に安心及び安全を感じさせることができる。
【００２１】
＜第二実施形態＞
第二実施形態について図２〜図４を参照して説明する。
本実施形態の現金自動預払機は、第一実施形態と基本的に同じであるが、第一実施形態の本体部及びカバーに、詳細な構成が追加されている。
【００２２】
（現金自動預払機の構成）
図２〜図４に示すように、本実施形態の現金自動預払機１０１は、現金の預け払いを操作可能な操作部１０を有する本体部１１と、操作部１０を含む空間１０Ａを周囲から挟むカバー２０と、を備える。
【００２３】
操作部１０は、本体部１１の上部位置に設けられた第１パネル１２及び第２パネル１３、本体部１１の中間位置に設けられたテンキー１４、カード口１５、レシート口１６、ＩＣカード読取部１７、紙幣受け渡し口１８などを有する。
第１パネル１２は、利用者により操作されるタッチ式の操作パネルである。
第２パネル１３は第１パネル１２の上側に位置して、現金自動預払機であることを示すともに、利用可能なカード情報等を示す表示ディスプレイである。
【００２４】
本体部１１内には、第１パネル１２、テンキー１４及びＩＣカード読取部１７で入力された情報を処理するデータ処理装置、データ処理装置からの信号に基づいて紙幣受け渡し口１８に対する紙幣の出し入れを行う紙幣処理部、レシート口１６から出すレシートを印刷する印刷装置などが設置されてもよい。
【００２５】
（カバー）
カバーの詳細な構成について説明する。
カバー２０は、空間１０Ａを側方から挟む一対の側板２１と、側板２１に接続されかつ空間１０Ａの上側に位置する上板２２とを有する。側板２１及び上板２２により、カバー２０は空間１０Ａを覆っている。
【００２６】
一対の側板２１は、互いに対向する対向面２３をそれぞれ有する。側板２１は、空間１０Ａ外部からの視線を妨げるように本体部１１から前方に延びている。
各側板２１は、すりガラス、半透明樹脂、メッシュ材等を用いることにより、半透明となっている。
各側板２１は、前方に縁部２４を有する。一対の側板２１は、各縁部２４が互いに離間するように配置されている。このため、一対の側板２１の対向面２３は、互いに前方で離間している。
一対の側板２１の各縁部２４は、下端から上部に向かうに従い、延びる方向が連続して変化している。下端において、一対の側板２１の各縁部２４は、前方に向かって延びている。他方、上部において、一対の側板２１の各縁部２４は、互いが近づく方向へ延びている。
【００２７】
一対の側板２１の対向面２３は、互いに操作部１０を含む空間１０Ａを包むような曲面である。各対向面２３の中央部が、互いに空間１０Ａの側方外側に離れるように湾曲している。さらに、一対の側板２１の対向面２３は、互いに前方に向かって空間１０Ａを包み込んでいる。
図４に示されるように、各対向面２３は、前方に向かって湾曲している。
【００２８】
上板２２は、前側に縁部２２Ｃを有する。縁部２２Ｃは、湾曲形状を有し、上板２２の左右中央に位置する中央部２２Ａにおいて、後方側に滑らかに後退している。このため、上板２２の中央部２２Ａが、上板２２の左右端にそれぞれ位置する左右端部２２Ｂよりも、奥行方向（矢印（イ）方向）に短い寸法に設定されている。
本実施形態において、上板２２は、すりガラス、半透明樹脂、メッシュ材等を用いることにより、半透明となっている。
上板２２は、空間１０Ａを包み込んでいる。上板２２は、空間１０Ａ外部からの視線を妨げるためよりも、空間１０Ａを包み込むことによって、現金自動預払機１０１の利用者に安心感を与えるために設けられている。
【００２９】
（作用効果）
本実施形態では、現金自動預払機１０１は、空間１０Ａを側方から挟む一対の側板２１を含み、一対の側板２１の対向面２３が、互いに操作部１０を含む空間１０Ａを包み込む曲面であるカバー２０を備える。
このため、カバー２０は、現金自動預払機１０１の利用者の操作性を損なわない構造でありながら、空間１０Ａ外部からの視線を妨げやすい構造を有する。
したがって、利用者に安心及び安全を感じさせることができる。
【００３０】
カバー２０は、上板２２をさらに有している。このため、カバー２０は、空間１０Ａをさらに包み込んでおり、一層利用者に安心及び安全を感じさせることができる。
【００３１】
一対の側板２１の各縁部２４は、下端において、前方に向かって延びている。このため、利用者に対し、空間１０Ａでの作業に一層解放感を与えることができる。
他方で、一対の側板２１の各縁部２４は、上部において、互いが近づく方向へ延びている。このため、カバー２０は、空間１０Ａをさらに包み込んでおり、一層利用者に安心及び安全を感じさせることができる。
【００３２】
本実施形態では、カバー２０の一対の側板２１の対向面２３が、互いに前方で離間している。このため、利用者は、離間箇所から操作部１０に近づくことができる。
したがって、カバー２０は、現金自動預払機１０１の利用者の操作性を損なうことなく、空間１０Ａの外部からの視線を妨げることができる。
【００３３】
加えて、カバー２０において、上板２２の中央部２２Ａが、左右端部２２Ｂよりも奥行方向に短い。このため、上板２２の縁部２２Ｃが、中央部２２Ａにおいて、後方側に後退している。したがって、カバー２０の上方が開放され、利用者の圧迫感が軽減される。
さらに、上板２２の縁部２２Ｃが、中央部２２Ａにおいて、後方側に滑らかに後退しているので、利用者は操作部１０に近づくことができ、空間１０Ａの外部からの視線を妨げることができる。これによりカバー２０は、利用者に安心及び安全を感じさせることができる。
【００３４】
本実施形態では、一対の側板２１が、半透明であるため、周囲の光を取り込みつつ操作部１０や利用者の手元をぼかすことができる。このため、カバー２０は、外部からの視線を妨げることができる。他方で、カバー２０は、空間内の陰影を外部から確認できる程度に透明性を確保しているため、利用者に安心及び安全を感じさせることができる。
加えて上板２２が半透明であるため、カバー２０は、周囲の光を取り込んで操作部１０や利用者の手元を明るくできる。このため、カバー２０は、現金自動預払機１０１の利用者の操作性を確保できると共に、利用者に安心及び安全を感じさせる。
【００３５】
（変形例１）
本実施形態では、側板２１の各対向面２３に曲面を設け、かつ上板２２の前側に縁部２２Ｃを設けているが、変形例として、いずれか一方だけを設けてもよい。
【００３６】
（変形例２）
本実施形態では、側板２１の各対向面２３の全面を曲面としたが、変形例として、側板２１の各対向面２３の一部を曲面としても良い。
【００３７】
（変形例３）
本実施形態の変形例として、カバー２０の上板２２の下面を、側板２１の対向面２３と同様に曲面としても良い。さらに、上板２２の下面は、空間１０Ａから上方に向かって左右及び前後に湾曲するように形成するとともに、各側板２１の対向面と滑らかに連続させてもよい。これにより、空間１０Ａを構成するカバー２０内周面全体を、曲面とすることができる。
【００３８】
（変形例４）
本実施形態では、カバー２０の上板２２について、中央部２２Ａの全体を後退させることで縁部２２Ｃを形成したが、これに限定されず、中央部２２Ａの一部を後退させることで縁部２２Ｃを形成しても良い。
【００３９】
（変形例５）
本実施形態では、カバー２０が、操作部１０の空間１０Ａを側方から挟む一対の側板２１と、空間１０Ａの上側に位置する上板２２とから構成されている。変形例として、操作部１０の下方において、カバー２０の側板２１が下方まで延長されることにより、仕切りが形成されても良い。他の変形例として、カバー２０ではなく、別途、本体部１１の両側方から前面に張り出す仕切板を設けても良い。
【００４０】
（変形例６）
本実施形態では、カバー２０の側板２１及び上板２２を半透明としている。変形例として、カバー２０の側板２１及び上板２２は、半透明かつ本体部１１と同じ色、又は異なる色としても良い。この場合、カバー２０の側板２１の色と、上板２２の色とを異なる色としても良い。他の変形例として、カバー２０の側板２１及び上板２２は、半透明でない、すなわち透明又は不透明であってもよい。
【００４１】
＜第三実施形態＞
第三実施形態について図５を参照して説明する。第三実施形態は、第一実施形態及び第二実施形態と基本的に同じであるが、第一実施形態とは別の観点における現金自動預払機の最小構成を示す。
図５に示すように、本実施形態の現金自動預払機２００は、利用者が現金の預け払いを操作可能な操作部２０１を有する本体部２０２と、カバー２０３と、を備える。
カバー２０３は、現金自動預払機２００の本体部２０２を側方から挟む一対の側板２０４と、操作部２０１を含む空間２０１Ａの上方を覆う上板２０５と、を有する。
【００４２】
上板２０５は、前側に縁部２０５Ｃを有する。縁部２０５Ｃは、湾曲形状を有し、上板２０５の左右中央に位置する中央部２０５Ａにおいて、後方側に滑らかに後退している。このため、上板２０５の中央部２０５Ａが、上板２０５の左右端にそれぞれ位置する左右端部２０５Ｂよりも奥行方向（符号（イ）方向）に短く設定されている。
一対の側板２０４の対向面は、曲面であってよいし、平面であってもよい。
【００４３】
このような上板２０５の中央部２０５Ａでは、カバー２０３の上方が開放されることで現金自動預払機２００の利用者の圧迫感が軽減される。さらに、上板２０５の縁部２０５Ｃが、中央部２０５Ａにおいて、後方側に滑らかに後退しているので、利用者は操作部２０１に近づくことができ、空間２０１Ａの外部からの視線を妨げることができる。
したがって、カバー２０３は、より利用者に安心及び安全を感じさせることができる。
【００４４】
＜第四実施形態＞
第四実施形態について図６を参照して説明する。第四実施形態は、カバーの最小構成の実施形態である。本実施形態のカバーは、第一実施形態のカバー３と基本的に同じ構成である。
図６に示すように、本実施形態のカバー３は、現金自動預払機のカバーであって、現金自動預払機の本体部を側方から挟む一対の側板４を含む。一対の側板４の対向面は、互いに前方に向かって空間１Ａを包むような曲面である。
このため、カバー３は、現金自動預払機の利用者の操作性を損なうことなく、空間１Ａ外部からの視線を妨げやすい構造を有する。
したがって、カバー３は、利用者に安心及び安全を感じさせることができる。
【００４５】
＜第五実施形態＞
第五実施形態について図７を参照して説明する。第五実施形態は、カバーの別の最小構成の実施形態である。本実施形態のカバーは、第三実施形態のカバー２０３と基本的に同じ構成である。
図７に示すように、本実施形態のカバー２０３は、現金自動預払機のカバーであって、現金自動預払機の本体部を側方から挟む一対の側板２０４と、操作部を含む空間の上方を覆う上板２０５と、を有する。
上板２０５は、前側に縁部２０５Ｃを有する。上板２０５の中央に位置する中央部２０５Ａは、上板２０５の左右端にそれぞれ位置する左右端部２０５Ｂよりも奥行方向に短い寸法に設定されている。
上板２０５の中央部２０５Ａでは、上方が開放されることで利用者の圧迫感が軽減されるとともに、奥まっている分だけ利用者が操作部に近づくことができる。このため、カバー２０３は、現金自動預払機の利用者の操作性を損なうことなく、空間２０１Ａの外部からの視線を妨げやすい構造を実現することができる。
したがって、カバー２０３は、より現金自動預払機の利用者に安心及び安全を感じさせることができる。
【００４６】
以上、本発明の実施形態について図面を参照して詳述したが、具体的な構成はこの実施形態に限られるものではなく、本発明の要旨を逸脱しない範囲の設計変更等も含まれる。
例えば、上記実施形態は、現金自動預払機に適用した場合であるが、現金自動預払機以外の端末装置に適用されてもよい。すなわち、変形例として、端末装置が、利用者が操作可能な操作部を有する本体部２、１１、２０２と、カバー３、２０、２０３と、を備えていてもよい。
【符号の説明】
【００４７】
１  操作部
１Ａ  空間
２  本体部
３  カバー
４  側板
６  対向面
１０  操作部
１０Ａ  空間
１１  本体部
１２  第１パネル
１３  第２パネル
１４  テンキー
１５  カード口
１６  レシート口
１７  ＩＣカード読取部
１８  紙幣受け渡し口
２０  カバー
２１  側板
２２  上板
２２Ａ  中央部
２２Ｂ  左右端部
２２Ｃ  縁部
２３  対向面
２４  縁部
１００  現金自動預払機
１０１  現金自動預払機
２００  現金自動預払機
２０１  操作部
２０１Ａ  空間
２０２  本体部
２０３  カバー
２０４  側板
２０５  上板
２０５Ａ  中央部
２０５Ｂ  左右端部
２０５Ｃ  縁部
【図１】
2019106016.tif 000003
【図２】
2019106016.tif 000004
【図３】
2019106016.tif 000005
【図４】
2019106016.tif 000006
【図５】
2019106016.tif 000007
【図６】
2019106016.tif 000008
【図７】
2019106016.tif 000009